(57)【要約】【課題】連続した巻線層において熱電堆線の温接点及び冷接点が正確に位置決めできない問題を解決する。【解決手段】本発明は熱電堆線１及び熱電堆線用巻線支持体と共に、熱電堆線１からなる熱電発電器の製造装置１１に関する。本発明は、熱電堆線１を巻回するとき、熱電堆線１における前の巻線層と次の巻線層とで有効巻回直径が変化することを考慮したものである。【選択図】図４
2010519888.tif 000002
【特許請求の範囲】
【請求項１】
連続的に配置された複数の熱電対(2、3、4)を有する熱電堆線(1)であって、
各熱電対(2、3、4)はそれぞれ特定長さ(ln-1、ln、ln+1)を有する２つの熱電対脚(2.1、2.2、3.1、3.2、4.1、4.2)をそれぞれ有し、さらに温接点(5)及び冷接点(6)を備えており、
前記熱電堆線(1)は、一端側の温接点(5)と他端側の冷接点(6)が巻線支持体(8)の反対側に配置されるよう、巻線支持体(8)に巻回可能であり、
個々の熱電対(2-4)の長さ(ln-1、ln、ln+1)及び／又は個々の熱電対脚(2.1、2.2、3.1、3.2、4.1、4.2)の長さが、熱電堆線(1)の長さ方向に従って増加又は減少することを特徴とする熱電堆線(1)。
【請求項２】
請求項１に記載の熱電堆線(1)であって、全ての連接する熱電対(2-4)及び／又は熱電対脚(2.1、2.2、3.1、3.2、4.1、4.2)が各々所定の長さ違いを有することを特徴とする熱電堆線(1)。
【請求項３】
請求項１に記載の熱電堆線であって、連接する熱電対(2-4)及び／又は熱電対脚(2.1、2.2、3.1、3.2、4.1、4.2)は、ｎ番目の熱電対ごとに所定の長さ違いを有し、他の場合には同一長さを有することを特徴とする熱電堆線。
【請求項４】
請求項２又は請求項３に記載の熱電堆線(1)であって、連続する熱電対の長さ違いは、熱電堆線の周長(π・d)と実質的に同一であることを特徴とする熱電堆線(1)。
【請求項５】
巻線支持体(19)であって、
ａ）該巻線支持体(19)は熱電堆線(20)で巻回するための巻回領域を有し、該熱電堆線(20)は所定の長さを有し、温接点及び冷接点も有する連続的に配置された複数の熱電対を備えており、巻回領域は個々の熱電対の長さに実質的に対応する所定の巻回周長を有し、それにより一端側の温接点と他端側の冷接点が巻回状態で巻回領域の両側に配置され、さらに、
ｂ）前記巻線支持体(19)は、熱電堆線(20)に関する少なくとも一の補償巻線を収容するために少なくとも一の補償領域(21)を有しており、該補償領域は巻回領域と異なる巻回周長を有することを特徴とする巻線支持体(19)。
【請求項６】
請求項５に記載の巻線支持体であって、前記補償領域(21)は巻回領域の一端又は両端に配置された環状溝であることを特徴とする巻線支持体。
【請求項７】
請求項６に記載の巻線支持体であって、前記環状溝(21)は熱電堆線(20)の直径に実質的に対応する溝幅を有し、それにより環状溝が熱電堆線の巻線を正確に収容することを特徴とする巻線支持体。
【請求項８】
請求項１〜４の何れか一に記載される熱電堆線(1)又は請求項５〜７の何れか一に記載される巻線支持体(19)を有する熱電発電器(7、18)。
【請求項９】
熱電発電器(7)の製造方法であって、
ａ）それぞれが２つの熱電対脚部(2.1、2.2、3.1、3.2、4.1、4.2)と温接点(5)及び冷接点(6)を備えて連続的に配置される複数の熱電対(2-4)を有する熱電堆線(1)を供給する工程と、
ｂ）一端側の温接点(5)と他端側の冷接点(6)が巻線支持体(8)の両側に位置するよう、熱電堆線(1)を巻線支持体(8)に巻回する工程と、
を含む製造方法において、さらに、
ｃ）熱電堆線(1)における熱電対(2-4)の温接点(5)及び冷接点(6)の実際位置を決定する工程と、
ｄ）測定された実際位置と所望される所定の位置との間の目標−実際間の偏差を決定する工程と、
ｅ）目標−実際間の偏差に従って巻回以前及び巻回中に熱電堆線(1)を伸長する工程と、
からなることを特徴とする熱電発電器(7)の製造方法。
【請求項１０】
請求項９に記載の製造方法であって、両接点(5、6)の位置に関する目標−実際間の偏差を最小限に抑える態様で、熱電堆線(1)が伸長されることを特徴とする製造方法。
【請求項１１】
熱電発電器(7)の製造装置(11)であって、
ａ）該製造装置(11)は熱電堆線(1)を巻線支持体(8)に巻回するための巻回機(17)を有し、熱電堆線(1)は、それぞれが２つの熱電対脚部(2.1、2.2、3.1、3.2、4.1、4.2)と温接点(5)及び冷接点(6)を備え、連続的に配置される複数の熱電対(2-4)を有しており、さらに、
ｂ）個々の熱電対(2-4)の温接点(5)及び／又は冷接点(6)の実際位置を測定するための測定装置(14)と、
ｃ）熱電堆線(1)を長手方向に可変的に伸長するための伸長装置(15)と、
ｄ）入力側で測定装置(14)に接続され、出力側で伸長装置(15)に接続されて、温接点(5)及び／又は冷接点(6)に関して測定される実際の位置と所望される所定の位置に従って伸長装置(15)を制御する制御部(16)と、
を備えることを特徴とする熱電発電器(7)の製造装置(11)。
【請求項１２】
請求項１１に記載の製造装置(11)であって、個々の接点(5、6)の位置に関する目標−実際間の偏差を最小限に抑え、一端側の温接点(5)と他端側の冷接点(6)が巻線支持体(8)の両側に配置される態様で、制御部(16)が伸長装置(15)を制御することを特徴とする製造装置(11)。
【発明の詳細な説明】
【技術分野】
【０００１】
本発明は熱電堆線及び熱電堆線用の巻線支持体に関する。さらに、本発明は熱電堆線を用いる熱電発電器の製造方法及び製造装置に関する。
【背景技術】
【０００２】
ドイツ国実用新案第２０２００６００３５９５号（特許文献１）により、多数の熱電対を連続的に配置して電気的に直列接続した熱電堆線であって、熱電発電器（「熱変換器（thermoconverter）」）の製造に利用可能な熱電堆線が知られている。この熱電堆線は、一端側の温接点と他端側の冷接点が巻線支持体の両側に配置される態様で巻線支持体に巻回されたものである。巻線支持体の両端で温度差があれば、巻回された熱電堆線によって相応の熱起電力が生成される。
【０００３】
この技術では、複数の巻線層からなる熱電堆線が積層されて巻線支持体に巻回されていると、直前の巻線層と次の巻線層とでは有効巻回周長が変化するという問題がある。一方で熱電堆線において個々の熱電対の長さを一定とすれば、今度は個々の巻線層における熱電堆線の温接点及び冷接点が所定の位置からずれてしまう。一端側の温接点と他端側の冷接点とは、それぞれが正確に心合した状態で互いに正確に対向していることが望まれる。
【０００４】
先行技術に関してさらに参照すべき技術として、米国特許第３３５７８６６号（特許文献２）、米国特許第３７００５０３号（特許文献３）、東ドイツ国特許第１０３７６３号（特許文献４）、米国特許第３１５０８４４号（特許文献５）、英国特許第８１９２７３号（特許文献６）、ドイツ国特許第１９５２９７２５号（特許文献７）、ドイツ国特許第４３３５０８９号（特許文献８）、ドイツ国特許第１７７４２２９号（特許文献９）、ドイツ国特許第３４２０２９４号（特許文献１０）等が挙げられる。しかしながら、これらの引用文献は殆どが単層巻の熱電堆線を有する熱電発電器に関する技術であって、熱電堆線の巻回直径が一定となっている。いずれにせよ、これらの引用文献では個々の熱電対又は熱電対脚の長さを目的に応じて適合させることは開示されていない。
【先行技術文献】
【特許文献】
【０００５】
【特許文献１】ドイツ国実用新案第２０２００６００３５９５−Ｕ１号
【特許文献２】米国特許第３３５７８６６−Ａ号
【特許文献３】米国特許第３７００５０３−Ａ号
【特許文献４】旧東ドイツ国特許第１０３７６３−Ａ１号
【特許文献５】米国特許第３１５０８４４−Ａ号
【特許文献６】英国特許第８１９２７３−Ａ号
【特許文献７】ドイツ国特許第１９５２９７２５−Ａ１号
【特許文献８】ドイツ国特許第４３３５０８９−Ａ１号
【特許文献９】ドイツ国特許第１７７４２２９−Ｂ２号
【特許文献１０】ドイツ国特許第３４２０２９４−Ａ１号
【発明の概要】
【発明が解決しようとする課題】
【０００６】
本発明の目的は、連続した巻線層において熱電堆線の温接点及び冷接点が正確に位置決めできない問題を解決することにある。
【課題を解決するための手段及び発明の効果】
【０００７】
上記課題は、本発明に係る熱電堆線、対応する巻線支持体、また独立請求項に係る熱電発電器の製造方法及び製造装置により解決することができる。
【０００８】
まず、本発明は例えばドイツ国実用新案第２０２００６００３５９５号（特許文献１）に記載される従来型の熱電堆線に十分対応可能な熱電堆線に関するものである。したがって重複説明を避けるため、本発明に係る熱電堆線の構造及び製造に関してはこの実用新案文献を参照し、その開示内容全体を本願に包含するよう援用する。
【０００９】
一方で本発明に係る熱電堆線は、個々の熱電対及び／又は熱電対脚の長さが、熱電堆線の長さ方向において不均一である点で、上述した従来型の熱電堆線とは区別される。本発明によれば、個々の熱電対及び／又は熱電対脚の長さが、熱電堆線の長さ方向に従って単調増加又は単調減少するように構成されている。このように各熱電対又は熱電対脚の長さが変化すれば、巻回状態において直前の巻線層と次の巻線層とで有効巻回直径が変化しても、温接合及び冷接合を所望の部位に正確に位置させることが可能となる。
【００１０】
また本発明に係る熱電堆線の一変形例によれば、連接する熱電対及び／又は熱電対脚の長さは全て、それぞれ所定の違いがある。このことは、各熱電対又は各熱電対脚が直前の熱電対又は熱電対脚とは所定の長さ違いがあることを意味する。この変形例は、巻線支持体上で巻線を互いに積層しない場合に特に適しており、ここでは各巻線が別個の巻線層を形成する。
【００１１】
これとは対照的に、本発明に係る熱電堆線の他の変形例によれば、連接する熱電対及び／又は熱電対脚はｎ番目の熱電対ごとにのみ所定の長さ違いを設けており、その他は同一長さとしている。この例では、熱電対は連接するグループに分割されており、各グループの熱電対及び／又は熱電対脚はそれぞれ同一の長さとする一方で、連接するグループ間では熱電対及び／又は熱電対脚は所定の長さ違いを有する。この変形例は、特に熱電堆線を巻線支持体に巻回する場合に有用であって、巻回状態で複数の巻線が互いに積層するので、有効巻回周長はｎ番目の巻線ごとにのみ変化する。
【００１２】
したがって、直前の巻線層と次の巻線層とにおける有効巻回周長の変化を補償するために、連続する熱電対間の長さの違いが熱電堆線の周長と実質的に等しいことが好ましい。
さらに、例えばドイツ国実用新案第２０２００６００３５９５号（特許文献１）に記載されるように、本発明の他の側面に係る例は従来型の熱電堆線を用いて巻回するための巻線支持体に関するものである。熱電堆線を巻回するために、本発明に係る巻線支持体は所定の巻回周長を有した巻回領域を有している。巻回周長は、巻回状態で一端側の熱電対の温接点と他端側の熱電対の冷接点とを巻線支持体の略反対側に配置して熱電発電器を形成するように、熱電堆線における個々の熱電対の長さに適合されている。ただし、この場合においても直前の巻線層と次の巻線層とでは巻回領域の有効巻回周長が増加するため、温接合と冷接合の位置決めが僅かに不正確になる虞がある。
【００１３】
したがって、本発明に係る巻線支持体は、巻回領域以外にも、熱電堆線を少なくとも一の補償巻線を収容するための補償領域を有しており、この補償領域が巻回領域とは異なる巻回周長を有する。例えば、補償領域を巻回領域よりも小さな巻回周長とすることで、補償巻線の小さな周長が温接点及び冷接点の位置を修正できる。
【００１４】
本発明の一実施形態では、補償領域は略環状の溝で構成される。この環状溝は巻回領域の一端又は両端に配置されており、一又は複数の補償巻線を収容することができる。
【００１５】
なお、巻線支持体は既知の円筒状の形状に限定されるものでなく、寧ろ、巻線支持体を異なる形状とする態様も本発明の範囲内である。例えば、巻線支持体を楕円形状、矩形状又は正方形状の断面とすることもできる。
【００１６】
さらに本発明の他の側面に係る例は、上記の熱電堆線及び巻線支持体に関するもののみならず、このような熱電堆線を有する熱電発電器又は巻線支持体にも関するものも含まれる。
【００１７】
さらにまた、本発明の他の側面に係る熱電発電器の製造方法によれば、複数の熱電対が連続的に配置され、それぞれが２つの熱電対脚、温接点及び冷接点を有する熱電堆線を供給する。この熱電堆線は、例えばドイツ国実用新案第２０２００６００３５９５号（特許文献１）に記載された従来型の熱電堆線とすることもできる。ただし、この製造方法は、本発明に係る前述の熱電堆線を利用しており、個々の熱電対又は熱電対脚の長さは熱電堆線の長さ方向に従って単調増加又は単調減少するものである。
【００１８】
さらにまた、本発明の他の側面に係る製造方法によれば、熱電堆線を従来の態様で巻線支持体に巻回することで、一端側の温接合と他端側の冷接合とを巻線支持体の両側に位置させることができる。熱電堆線を巻線支持体に巻回することも上記のドイツ国実用新案第２０２００６００３５９５号（特許文献１）に記載されており、該実用新案文献の開示内容全体を援用して本願に包含する。
【００１９】
さらにまた、本発明の他の側面に係る製造方法によれば、熱電堆線における熱電対の温接点及び／又は冷接点の実際の位置を製造中に検知できる。これは、例えば光学センサを用いて実現できる。
【００２０】
次に、本発明の他の側面に係る製造方法によれば、両接点に関して測定された実際の位置と両接点に関して所望される所定の位置との間で、目標−実際間の偏差が決定される。
【００２１】
さらに、このようにして決定された目標−実際間の偏差に基づいて、熱電堆線を巻線支持体に巻回する以前及び／又は最中に長手方向に伸長することで、巻回状態で一端側の温接点と他端側の冷接点とを巻線支持体の両側で所望の位置に極めて正確に配置することができる。
【００２２】
本発明の他の側面に係る製造方法の好適な特長として、例えばドイツ国実用新案第２０２００６００３５９５号（特許文献１）に記載されるように、熱電堆線の連続的な製造も可能であり、該実用新案文献の内容全体は本明細書に包含されるものとする。熱電堆線の製造中に、疑似無終端型の支持要素（例えば線材）を巻線支持体から巻き出し、巻き出した状態で被覆して、長さが異なる個々の熱電対を製造できる。さらにこのようにして製造された熱電堆線を巻線支持体に巻回し、巻回状態で移動及び保管できる。さらにまた、このような方法で製造された熱電堆線は複数の熱電堆線に分割可能であり、その後、それぞれを個別に巻線支持体に巻回できる。熱電堆線を複数の熱電堆線に分割する場合は、該製造ラインにおいて相違を各々登録可能とすることが好ましい。また、熱電堆線の位置を登録しておけば、製造ラインにおいて別個の巻線支持体に各々熱電堆線を巻回するのに有利となる。これにより、巻回の際に温接点及び冷接点を正確に位置決めすることができる。
【００２３】
次に、本発明の他の側面に係る熱電堆線で、個々の熱電対の長さをあらかじめ構造的に規定された通りに変化させることにより、温接点及び冷接点の位置の修正を大まかに行うことができる。また、精緻な位置修正は熱電堆線を伸長することで行える。
【００２４】
最後に、本発明の他の側面に係る例は、上述の製造方法を実行するための製造装置に関するものでもある。
【００２５】
本発明に関する他の好適な変形例については、従属請求項にその特徴が記載される。また、添付図面を参照しながら本発明の好ましい実施形態として以下に詳述する。
【図面の簡単な説明】
【００２６】
【図１】本発明に係る熱電堆線の一部を示す側面図である。
【図２Ａ】熱電発電器を示す平面図である。
【図２Ｂ】図２Ａの熱電発電器を示す斜視図である。
【図３Ａ】熱電堆線の長さ方向で見た個々の熱電対の長さに関する変化を示す図である。
【図３Ｂ】熱電堆線の他の実施形態を示す図である。
【図４】熱電発電器製造装置を極力簡略化した概略図である。
【図５】本発明に係る製造方法を示すフローチャートである。
【図６Ａ】本発明に係る巻線支持体を示す側面図である。
【図６Ｂ】図６Ａに示す巻線支持体に熱電堆線を２層巻にした図である。
【発明を実施するための形態】
【００２７】
図１は、連続的に配置され電気的に直列接続された複数の熱電対２、３、４からなる本発明に係る熱電堆線１の一部を示している。各熱電対２〜４は、それぞれ２つの熱電対脚２．１及び２．２、３．１及び３．２、４．１及び４．２を有する。
【００２８】
各熱電対脚２．１、２．２、３．１、３．２、４．１、４．２はそれぞれ、互いに温接点５及び冷接点６で連接される。熱電堆線１から熱電発電器を製造することにより、温接点５が冷接点６よりも高温を受けると、対応する熱起電力が熱電堆線１で生成される。
【００２９】
熱電堆線１に関する詳細な構造及び製造方法についてはドイツ国実用新案第２０２００６００３５９５号（特許文献１）において網羅されており、該実用新案文献の内容全体は熱電堆線１の構造及び製造に関して本願に包含されているものとする。
【００３０】
従来型の熱電堆線に比して、本発明に係る熱電堆線１の具体的な特長は、各熱電対２、３、４が各々異なる長さｌn-1、ｌn、ｌn+1を有しており、該熱電対２〜４の長さが熱電堆線１の長さ方向に従って単調増加（ｌn-1≦ｌn≦ｌn+1）し、少なくとも連続した２つの熱電対の長さが異なる点が挙げられる。巻回状態では、熱電堆線１の長さ方向に連接する個々の熱電対２〜４におけるこのような長さの変化があるので、直前の巻線層と次の巻線層とにおいて有効巻回直径の変化を補償する必要がある。
【００３１】
図２Ａ及び図２Ｂは、本発明に係る熱電発電器を示している。この熱電発電器は、本発明に係る熱電堆線１で巻回された円筒状巻線支持体８を有する。一端側の温接点５と他端側の冷接点６が巻線支持体８の両側に極力正確に位置するよう、巻線支持体８の直径Ｄは個々の熱電対２〜４の長さｌn-1、ｌn、ｌn+1と熱電堆線１の直径ｄとに適合させてある。
【００３２】
巻線支持体８は巻回面長Ｌを有し、巻線支持体８の円周面上で熱電堆線１における多数の巻線ｍ＝Ｌ／ｄは互いに隣接して配置されて、それぞれの巻線が単一の巻線層を形成する。対照的に、後続する巻線層において巻線支持体８の有効巻回周長は下側の巻線層によって変化し、ｎ＝ｍ＋１としてｎ番目の熱電対２は先行する熱電対３、４よりも大きな長さｌnを有する。ｎ−１番目の熱電対２とｎ番目の熱電対３との間の長さの違いは熱電堆線１の周長に対応する。
【００３３】
このようにして、上側の巻線層における巻線支持体８の対向点において、一端側の温接点５と他端側の冷接点６も正確に位置させることが実現される。
【００３４】
さらに熱電発電器７は、熱電堆線１の両端に連結され対応する熱起電力Ｕthを出力する２つの電圧タップ９、１０を有する。
【００３５】
図３Ａ及び図３Ｂは、本発明に係る熱電堆線において、連続する熱電対の長さｌiが漸次変化し得ることを示している。
【００３６】
図３Ａに係る実施形態において、連続する熱電対の長さliは、それぞれ、前の熱電対から次の熱電対まで熱電堆線の量Ｕ＝π・d分増加する。このような長さの変化は特にストリップ状の熱電堆線に適しており、熱電堆線の各巻線は新たな巻線層に属することとなる。
【００３７】
これとは対照的に、図３Ｂに係る実施形態において７番目毎の熱電対だけが前の熱電対とは長さの変化が対応する。個々の熱電対においてこのように長さを漸増させることは、特に、熱電堆線の７つの巻線それぞれが互いに隣接して位置し、単一の巻線層を形成するような巻線支持体に巻回するのに適している。
【００３８】
図４は、図２Ａ及び図２Ｂに係る熱電発電器７を製造するための、本発明に係る製造装置１１を簡略化した模式図である。
【００３９】
まず、この製造装置は、出発生成品として従来型の線材１３を供給する従来型の線材被覆装置１２を有する。次に、線材被覆装置１２は熱電堆線１を製造し、例えばドイツ国実用新案第２０２００６００３５９５号（特許文献１）に記載されるように、線材１３で熱電堆線１の支持要素を形成する。また同じくドイツ国実用新案第２０２００６００３５９５号（特許文献１）に記載されるように、熱電堆線１を製造する際、線材被覆装置１２は線材１３に絶縁物質又は導電物質を塗布し、或いは線材１３から塗膜を部分的に除去することができる。このように本発明に係る熱電堆線１の製造に関し、該実用新案記載の内容全体が包含されているものとする。
【００４０】
次に、熱電堆線１が位置測定装置１４に供給され、ここで適切なセンサを用いて温接点５及び冷接点６の位置が決定される。このような位置を合わせるためのセンサは、例えば光学的センサが利用できる。ただ、本発明を逸脱しない範囲内で他のセンサを用いてもよいことはいうまでもない。
【００４１】
このようにして測定された熱電堆線１は、次に伸長装置１５に供給される。ここで多様な態様で熱電堆線１が長手方向に伸長される。熱電堆線１の伸長は、温接点５及び冷接点６に関して事前に決定された位置に従って制御部１６により制御され、これは完成した熱電発電器における意図された位置に両接点５、６が正確に配置される態様で行われる。
【００４２】
このようにして伸長された熱電堆線１は、次に従来型の巻回機１７に供給される。ここでは熱電堆線１が巻線支持体８に巻回される。
【００４３】
熱電堆線1における個々の熱電対２〜４の長さが、あらかじめ構造的に規定された通りに変化することにより、ここで、連続する巻線層における両接点５、６の位置が大まかに修正される。
【００４４】
またこれとは対照的に、伸長装置１５で熱電堆線1を伸長することにより、両接点５、６の位置がさらに精緻に修正される。
【００４５】
最後に、前記の説明から容易に判るように、図５は図４に係る製造装置１１による製造方法をフローチャート形式で示している。
【００４６】
図６Ａ及び図６Ｂは本発明に係る熱電発電器１８に関する他の実施形態を示している。この熱電発電器１８は、例えばドイツ国実用新案第２０２００６００３５９５号（特許文献１）で既知の従来型熱電堆線２０により巻回可能な巻線支持体１９を有する。したがって、熱電堆線２０は個々の熱電対に関して均一な長さを有する。
【００４７】
互いの上面に位置する巻線層における有効巻回直径の変化は、この場合、巻線支持体１９の一端に環状溝２１が配置され、この環状溝２１に熱電堆線２０の一又は複数の巻線が収容され、巻線支持体１９の他部位の巻回直径ｄ１よりも小さい巻回直径ｄ２を有することにより補償される。このため、環状溝２１内に熱電堆線２０を巻回することにより、それぞれ連続した巻線層において巻回周長が大きくなるため補償巻回が形成される。
【００４８】
本発明は上述の好ましい実施形態に限定されず、複数の異なる変形例や改良が実現可能であり、これらについても本発明に係る技術的思想を利用するものであるからには保護範囲内に属するものである。
【符号の説明】
【００４９】
１…熱電堆線
２〜４…熱電対
２．１、２．２…熱電対脚
３．１、３．２…熱電対脚
４．１、４．２…熱電対脚
５…温接点
６…冷接点
７…熱電発電器
８…巻線支持体
９、１０…電圧タップ
１１…製造装置
１２…線材被覆装置
１３…線材
１４…位置測定装置
１５…伸長装置
１６…制御部
１７…巻回機
１８…熱電発電器
１９…巻線支持体
２０…熱電堆線
２１…環状溝
【図１】
2010519888.tif 000003
【図２Ａ】
2010519888.tif 000004
【図２Ｂ】
2010519888.tif 000005
【図３Ａ】
2010519888.tif 000006
【図３Ｂ】
2010519888.tif 000007
【図４】
2010519888.tif 000008
【図５】
2010519888.tif 000009
【図６Ａ】
2010519888.tif 000010
【図６Ｂ】
2010519888.tif 000011
【国際調査報告】
2010519888.tif 000012
2010519888.tif 000013
2010519888.tif 000014
2010519888.tif 000015
2010519888.tif 000016
2010519888.tif 000017
2010519888.tif 000018
2010519888.tif 000019
2010519888.tif 000020
2010519888.tif 000021
2010519888.tif 000022
2010519888.tif 000023